(57)【特許請求の範囲】
【請求項１】
遊技盤を収納する樹脂製筐体の側部の複数箇所に形成された溝状または突状の第１の位置決め部と、前記側部の表面に当接して前記筐体を支持する樹脂製固定台の内壁の複数箇所に形成された，前記第１の位置決め部と嵌合して前記筐体を所定角度傾斜させる突状または溝状の第２の位置決め部とを備え、
前記第１の位置決め部および前記第２の位置決め部は、一方の位置決め部の長手方向が水平方向に一致し、前記筐体が所定角度傾斜すると他方の位置決め部の長手方向が水平方向に一致するように形成され、
突状の前記第１の位置決め部または突状の前記第２の位置決め部は、一端部が、ピンによって前記筐体の側部表面または前記固定台の内壁表面に回動自在に支持され、他端部が、弾性体が発する弾性力によって前記筐体の側部表面または前記固定台の内壁表面に突出した状態に保たれ、箱溝状の前記第２の位置決め部または箱溝状の前記第１の位置決め部に嵌合する際に前記ピンを中心に前記弾性力に抗して沈む、前記一端部から前記他端部にかけて前記固定台の内壁表面または前記筐体の側部表面に対して傾斜した斜面を有することを特徴とする遊技台固定装置。
【請求項２】
前記筐体を収納する空間が前記固定台に並設され、これら各空間の内壁に前記第２の位置決め部がそれぞれ形成されていることを特徴とする請求項１に記載の遊技台固定装置。
【請求項３】
前記筐体の側部に設けられた，前記遊技盤に電気的につながる第１の配線接続具と、前記第１および第２の位置決め部に位置決めされて前記筐体が前記固定台に収容されると前記第１の配線接続具に接続される，前記固定台の内壁に設けられた第２の配線接続具とをさらに備えた請求項１または請求項２に記載の遊技台固定装置。
【請求項４】
前記第１の配線接続具は、前記遊技盤を制御する電子回路基板に電源を供給する配線が接続される配線接続具と、遊技機の遊技動作を制御する遊技情報が伝達される配線が接続される配線接続具とからなり、前記第２の配線接続具は、電源プラグに接続される配線接続具と、遊技機を統括制御するコンピュータに接続される配線接続具とからなることを特徴とする請求項３に記載の遊技台固定装置。
【請求項５】
前記筐体を収納する前記固定台の空間は前記筐体の背面に対向する面が閉じていることを特徴とする請求項１から請求項４のいずれか１項に記載の遊技台固定装置。
【発明の詳細な説明】
【０００１】
【発明の属する技術分野】
本発明は遊技場の遊技機島等に遊技台を取り付けて固定するための遊技台固定装置に関するものである。
【０００２】
【従来の技術】
図４は従来の一般的なパチンコ機１を示しており、同図（ａ）はこのパチンコ機１の正面図，同図（ｂ）はその側面図，同図（ｃ）はその背面図である。
【０００３】
同図（ａ）に示すように、パチンコ機１正面のフロントドア２の内部には遊技盤３が設けられている。フロントドア２はベースドア４に対して開閉自在に設けられており、ベースドア４は同図（ｂ）に示す木枠５に対してさらに開閉自在に設けられている。遊技盤３には多数の障害釘が植設されており、また、種々の役物６が配置されている。ハンドル７が回動操作されると、上皿８に貯留された遊技球が遊技盤３内に打ち込まれる。遊技盤３内に打ち込まれた遊技球は障害釘に弾かれながら盤面内を流下し、パチンコ遊技が行われる。
【０００４】
同図（ｃ）に示すパチンコ機１背面のほぼ中央部には、パチンコ機１の遊技動作を制御する遊技基板を収納した基板ケース９が取り付けられている。また、この基板ケース９の下方には、ハンドル７等の動作を制御する電子回路基板を収納した基板ケース１０が取り付けられている。これら各基板に実装された電子回路は電源プラグ１１を介して供給される電源をもとに動作する。また、基板ケース９内の遊技基板で収集される大当たり情報といった遊技情報は、中継端子板１２を介する図示しない配線によってホールコンピュータに伝達される。また、基板ケース１０内の基板で収集される玉切れ，扉開放といった情報は、中継端子板１３を介する図示しない配線によってホールコンピュータに伝達される。
【０００５】
このようなパチンコ機１は、図５の側面図に示すように、パチンコ機１の頭部が通常約１３．５ｍｍ後方に倒され、４分５厘の傾斜角度を標準として遊技機島の基台２１に固定される。このため、図６の斜視図に示すように、ベースドア４等を支持する木枠５は、４分５厘傾斜した状態で釘２３によって木製の台支持枠２２に打ち付けられ、固定される。
【０００６】
台支持枠２２は基台２１上に設置されており、この台支持枠２２の各空間２４には、木枠５に取り付けられたパチンコ機１がそれぞれ同様にして嵌められる。また、台支持枠２２の各空間２５には各パチンコ機１と対になる図示しない台間玉貸機がそれぞれ嵌め込まれる。このように台支持枠２２に取り付けられる所定台数のパチンコ機１および台間玉貸機は、パチンコホール内において１つの遊技島を構成している。
【０００７】
パチンコ機１といった弾球遊技機や、スロットマシンといった遊技台は、パチンコホール内においてこのように島になって設置されることが多いが、ゲームセンターなどのアミューズメント施設内では、１台毎に設置されることもある。
【０００８】
パチンコ機１を新たな機種に入れ換える場合には、釘２３が抜かれて台支持枠２２に打ち付けられた木枠５が取り外される。その後、パチンコ機製造会社から輸送された新たな機械が上記と同様にして台支持枠２２に固定される。この新たな機械は、図７に示す梱包用袋３１に入れられ、四隅に緩衝部材３２がセットされて梱包用段ボール箱３３に収納された状態で、トラックに積載されてパチンコホールに送られて来る。梱包用段ボール箱３３には例えば「ＡＢＣ」といった製造会社名が表示されている。
【０００９】
【発明が解決しようとする課題】
しかしながら、木枠５を釘２３で台支持枠２２に固定する上記従来の遊技台固定構造では、パチンコ機１といった遊技台を所定角度傾斜させて台支持枠２２に固定させることは容易に出来ない。つまり、木枠５を例えば４分５厘傾斜させた状態で台支持枠２２に釘２３で打ち付ける作業には、相当の熟練が要され、また、水平器や分銅といった特殊な道具が必要とされる。
【００１０】
また、上記従来の遊技台固定構造では、各遊技台を台支持枠２２に取り付け固定した後、パチンコ機１の背面側において各遊技台毎にそれぞれ配線接続作業を行う必要がある。つまり、電源プラグ１１をコンセントに挿入したり、中継端子板１２，１３からホールコンピュータに配線を接続する作業が、各パチンコ機１毎に必要とされる。従って、従来、この配線接続作業には大きな労力が必要とされた。
【００１１】
また、上記従来の遊技台固定構造では、１台の遊技台の輸送時に、梱包用袋３１，緩衝部材３２および梱包用段ボール箱３３の都合６点の梱包材が必要とされる。従って、上記従来の遊技台固定構造では、製造会社にとってみては輸送費がかさみ、製品コストを十分に低減させることが出来なかった。また、遊技場側にとってみては、梱包部材を廃棄処分するのに費用を要し、余分な経費が必要とされた。
【００１２】
【課題を解決するための手段】
本発明はこのような課題を解決するためになされたもので、遊技盤を収納する樹脂製筐体の側部の複数箇所に形成された溝状または突状の第１の位置決め部と、側部の表面に当接して筐体を支持する樹脂製固定台の内壁の複数箇所に形成された，第１の位置決め部と嵌合して筐体を所定角度傾斜させる突状または溝状の第２の位置決め部とを備え、第１の位置決め部および第２の位置決め部は、一方の位置決め部の長手方向が水平方向に一致し、筐体が所定角度傾斜すると他方の位置決め部の長手方向が水平方向に一致するように形成され、突状の第１の位置決め部または突状の第２の位置決め部は、一端部が、ピンによって筐体の側部表面または固定台の内壁表面に回動自在に支持され、他端部が、弾性体が発する弾性力によって筐体の側部表面または固定台の内壁表面に突出した状態に保たれ、箱溝状の第２の位置決め部または箱溝状の第１の位置決め部に嵌合する際にピンを中心に弾性力に抗して沈む、一端部から他端部にかけて固定台の内壁表面または筐体の側部表面に対して傾斜した斜面を有する、遊技台固定装置を構成した。
【００１３】
本構成によれば、突状の第１または第２の位置決め部の他端部が、遊技盤を収納する筐体を固定台に嵌め込む際、弾性体の弾性力に抗して沈み、筐体が固定台に嵌め込まれると、弾性体の弾性力によって突出して箱溝状の第２または第１の位置決め部に嵌合することにより、特別な操作を要することなく、筐体は所定角度傾斜して固定台に支持される。
【００１６】
また、筐体を収納する空間が固定台に並設され、これら各空間の内壁に第２の位置決め部がそれぞれ形成されている遊技台固定装置を構成した。
【００１７】
本構成によれば、第１の位置決め部を有する複数の各筐体を固定台の各空間に嵌め込むことにより、各筐体は第２の位置決め部に案内されてそれぞれ所定角度傾斜し、それぞれ固定台に支持される。これら各筐体は固定台を運搬することによって固定台と共に輸送され、そのまま遊技機島の基台上に設置される。
【００１８】
また、筐体の側部に設けられた，遊技盤に電気的につながる第１の配線接続具と、第１および第２の位置決め部に位置決めされて筐体が固定台に収容されると第１の配線接続具に接続される，固定台の内壁に設けられた第２の配線接続具とをさらに備え、遊技台固定装置を構成した。
【００１９】
本構成によれば、第１および第２の位置決め部に案内されて筐体が固定台に嵌め込まれると、特別な操作を要することなく、筐体側の第１の配線接続具は固定台側の第２の配線接続具に接続される。
【００２０】
また、筐体を収納する固定台の空間が、筐体の背面に対向する面が閉じている遊技台固定装置を構成した。
【００２１】
本構成によれば、筐体を収納する固定台の背面が閉じているスタンド・アロン・タイプの遊技台、つまり単独で設置される遊技台の固定装置が提供される。
【００２２】
【発明の実施の形態】
次に、本発明による遊技台の固定装置をパチンコ機に適用した一実施形態について説明する。
【００２３】
図１は本実施形態によるパチンコ機の固定装置を示す斜視図である。
【００２４】
パチンコ機４１は前面パネル４２の中央部に遊技盤４３を有している。この遊技盤４３は樹脂製の筐体４４内に収納されており、前面パネル４２はこの筐体４４の前部に設けられている。遊技盤４３には多数の障害釘が植設されており、また、役物や可変表示装置等が設けられている。ハンドル４５を回動操作すると遊技盤４３内に遊技球が打ち込まれ、パチンコ遊技が行われる。
【００２５】
また、筐体４４の両側部の各上下４箇所には、第１の位置決め部を構成する溝状位置決め部４６ａ〜４６ｄが形成されている。ここで、筐体４４の左側部の溝状位置決め部４６ｃ，４６ｄは図示していない。この溝状位置決め部４６ａ〜４６ｄは筐体４４が樹脂成形される際に同時に一体樹脂成形されている。各溝状位置決め部４６ａ〜４６ｄの長手方向は、筐体４４の頭部が図５に示すように４分５厘後方に傾くと、水平方向に一致するように傾斜して筐体４４の両側部に形成されている。
【００２６】
また、筐体４４の右側部の上下２箇所にはコネクタ・ソケット４７ａ，４７ｂが取り付けられている。コネクタ・ソケット４７ａには、遊技盤を制御する電子回路基板等に電源を供給するための配線が接続されており、コネクタ・ソケット４７ｂには、遊技動作を制御する遊技基板などからの遊技情報等が伝達される配線が接続されている。これらコネクタ・ソケット４７ａ，４７ｂは第１の配線接続具を構成している。
【００２７】
樹脂製の固定台５１には一定間隔で空間５２が形成されており、これら各空間５２にはパチンコ機４１が収納される。また、各空間５２の間には台間球貸機５３がパチンコ機４１と対になって設けられる。所定台数のパチンコ機４１および台間球貸機５３が固定された固定台５１は図示しない島基台上に設置され、パチンコホール等において遊技機島を構成する。固定台５１に固定されるパチンコ機４１の台数には種々のバリエーションがある。例えば、１台，２台，５台，１０台といった台数のパチンコ機４１が固定台５１の各空間５２に収納されて固定される。
【００２８】
パチンコ機４１が空間５２に収納されると、固定台５１の内壁はパチンコ機４１の側部の周囲に当接して筐体４４を支持する。この右側の内壁５１ａには突状位置決め部５４ａ，５４ｂが形成されており、左側の内壁５１ｂには突状位置決め部５４ｃ，５４ｄが形成されている。第２の位置決め部を構成するこれら突状位置決め部５４ａ〜５４ｄは各空間５２の各内壁５１ａ，５１ｂに形成されており、固定台５１が樹脂成形される際に同時に一体樹脂成形されている。各突状位置決め部５４ａ〜５４ｄの長手方向は水平方向に一致している。
【００２９】
また、各空間５２の右側の内壁５１ａには第２の配線接続具を構成するコネクタ・レセプタクル５５ａ，５５ｂが取り付けられている。各空間５２の内壁５１ａに設けられたコネクタ・レセプタクル５５ａは電気的に並列に接続されており、固定台５１の隅の１箇所において図示しない電源プラグに接続されている。このプラグが電源を取り込む差込口に差し込まれると、各コネクタ・レセプタクル５５ａには電源が供給される。
【００３０】
また、各空間５２の内壁５１ａに設けられた各コネクタ・レセプタクル５５ｂは、固定台５１の隅の１箇所に設けられた図示しない中継端子板に電気的に接続されている。この中継端子板はパチンコホール内に設置された各種の遊技機等を統括制御するホールコンピュータに接続されており、各コネクタ・レセプタクル５５ｂはこの中継端子板を介してホールコンピュータに接続される。
【００３１】
このような構成において、固定台５１へのパチンコ機４１の固定は、パチンコ機４１の筐体４４を固定台５１の各空間５２に単に嵌め込むことによって行われる。筐体４４を固定台５１に嵌め込む際、筐体４４の両側部に形成された各溝状位置決め部４６ａ〜４６ｄは、固定台５１の両内壁５１ａ，５１ｂに形成された各突状位置決め部５４ａ〜５４ｄに嵌合する。各溝状位置決め部４６ａ〜４６ｄは上記のように水平方向に対して所定角度傾いているため、水平方向に設けられた各突状位置決め部５４ａ〜５４ｄに嵌合すると、筐体４４は４分５厘傾斜した状態で固定台５１の空間５２内部に収納・固定される。
【００３２】
従来、水平器や分銅等を用いて木枠の傾斜角を測り、所定角度傾斜させた状態で木枠を釘で打ち付けてパチンコ機を設置していた。しかし、上記の本実施形態ではこのような作業をすることなく、パチンコ機４１を設置することが可能である。すなわち、本実施形態による遊技台の固定装置によれば、筐体４４を単に空間５２に嵌め込むだけでパチンコ機４１の設置が完了し、特別な技術や特別な道具を必要とすることなく、誰でも簡単にパチンコ機４１を４分５厘傾斜させて設置することが可能である。
【００３３】
本実施形態の説明では突状位置決め部５４ａ〜５４ｄに溝状位置決め部４６ａ〜４６ｄを単に嵌め込み、固定台５１に筐体４４を嵌合させているが、図２に示す構造で固定台５１に筐体４４を嵌合させることも出来る。
【００３４】
つまり、固定台５１の各内壁５１ａ，５１ｂの４箇所に、突状位置決め部５４ａ〜５４ｄの代わりにストッパ６１ａ〜６１ｄが設けられている。各ストッパ６１ａ〜６１ｄは、長手方向が水平方向に一致する状態で、各一端部がピン６２によって各内壁５１ａ，５１ｂに回動自在に支持されている。また、各ストッパ６１ａ〜６１ｄの他端部はコイルバネ６３によって外方に付勢されている。同図には左側内壁５１ｂの上側の箇所のストッパ６１ｃが示されているが、他の箇所もこれと同様な構造をしている。
【００３５】
また、筐体４４の両側部に、一端部が開放した溝状位置決め部４６ａ〜４６ｄの代わりに、箱溝状の位置決め部６４ａ〜６４ｄが設けられている。この箱溝状位置決め部６４ａ〜６４ｄの長手方向は、筐体４４の頭部が４分５厘後方に傾くと水平方向に一致するように傾斜している。同図には筐体４４の左側部の上側の箇所の箱溝状位置決め部６４ｃが示されているが、他の箇所もこれと同様な構造をしている。
【００３６】
このようなストッパ６１ａ〜６１ｄは、コイルバネ６３が発する弾性力によって各内壁５１ａ，５１ｂの表面に突出した状態に保たれている。筐体４４が固定台５１の空間５２に嵌め込まれると、当初内壁表面に突出していたストッパ６１ａ〜６１ｄは筐体４４の後端部に押され、コイルバネ６３の弾性力に抗して沈み込む。その後、この筐体４４の後端部が通り過ぎると、ストッパ６１ａ〜６１ｄは箱溝状位置決め部６４ａ〜６４ｄに達し、コイルバネ６３の弾性力によって再度内壁表面に突出する。この結果、ストッパ６１ａ〜６１ｄは箱溝状位置決め部６４ａ〜６４ｄに嵌まり合う。
【００３７】
箱溝状位置決め部６４ａ〜６４ｄは上記のように水平方向に対して所定角度傾いているため、水平方向に設けられた各ストッパ６１ａ〜６１ｄに嵌合すると、筐体４４は４分５厘傾斜した状態で固定台５１の空間５２内部にワンタッチで収納・固定される。従って、このようなストッパ６１ａ〜６１ｄおよび箱溝状位置決め部６４ａ〜６４ｄによっても、簡単にパチンコ機４１を４分５厘傾斜させて設置することが可能である。
【００３８】
また、従来、パチンコ機の配線処理は、前述したように、パチンコ機の裏面に設けられた中継端子板にホールコンピュータからの配線を接続し、また、パチンコ機の裏面にある電源プラグを差込口に差すことにより行われていた。この配線処理作業は各パチンコ台毎にする必要があるため、配線処理には多大な労力を要した。
【００３９】
しかし、上記の本実施形態によれば、溝状位置決め部４６ａ〜４６ｄおよび突状位置決め部５４ａ〜５４ｄに案内されて筐体４４が固定台５１に嵌め込まれるだけで、筐体４４の側のコネクタ・ソケット４７ａ，４７ｂは、固定台５１の側のコネクタ・レセプタクル５５ａ，５５ｂに接続される。従って、本実施形態によれば、特別な配線処理作業を要することなく、各パチンコ機４１の配線処理が完了する。
【００４０】
また、本実施形態による遊技台の固定装置によれば、図３に示すように、固定台５１にパチンコ機４１を取り付けた状態でこの固定台５１を輸送トラック７１に積載することが出来る。なお、同図において図１および図２と同一または相当する部分には同一符号を付してその説明は省略する。
【００４１】
このようにトラック７１で輸送された固定台５１は、パチンコホール内の島基台にそのまま設置することが出来る。従って、遊技機製造会社の工場において各パチンコ機４１を予め固定台５１に嵌め込んでおくことにより、トラック７１がパチンコホールに到着しだい、新機種のパチンコ機４１を直ちにパチンコホールに設置することが可能である。つまり、従来のようにパチンコホール内において４分５厘傾斜させて釘でパチンコ機を島に取り付けたり、その後、島に取り付けたパチンコ機の配線接続作業を各パチンコ機毎に行う必要はない。
【００４２】
また、このようにパチンコ機４１を固定台５１に取り付けて輸送することにより、段ボール箱といった従来の梱包材は不要となる。このため、遊技機製造会社側にとってみては遊技機の製品原価の低減を図ることが可能となり、また、パチンコホール側にとってみては梱包材を廃棄する手間および費用が節約される。
【００４３】
なお、上記実施形態の説明では、パチンコ機４１の筐体４４側に溝状の位置決め部４６ａ〜４６ｄや箱溝状位置決め部６４ａ〜６４ｄを設け、固定台５１側に突状の位置決め部５４ａ〜５４ｄやストッパ６１ａ〜６１ｄを設けた。しかし、筐体４４側の位置決め部を突状に設け、固定台５１側に溝状の位置決め部を設ける構造にしてもよい。また、上記実施形態の説明では、筐体４４側の溝状位置決め部４６ａ〜４６ｄ等を所定角度傾斜させ、固定台５１側の突状位置決め部５４ａ〜５４ｄ等を水平方向に設けた。しかし、筐体４４側の溝状位置決め部４６ａ〜４６ｄ等を水平方向に設け、固定台５１側の突状位置決め部５４ａ〜５４ｄ等を所定角度傾斜させる構造としてもよい。このような各構造によっても上記実施形態と同様な効果が奏される。
【００４４】
また、上記実施形態の説明では筐体４４を収納する固定台５１の空間５２は筐体４４の背面に対向する面が開いており、筐体４４を固定台５１に取り付けた状態で筐体４４は背面から触ることが出来る。パチンコホール等においてはこの背面どうしが対向させられて島に設置されるため、筐体４４の背面が開放していても問題はない。
【００４５】
ここで、固定台５１の筐体４４の背面に対向する面を閉じる構造とすることにより、スタンド・アロン・タイプつまり単独で設置される遊技機にも、本発明による遊技台固定装置を適用することが出来る。アミューズメント施設等ではスタンドアロンで遊技台が設置されることが多いため、このような場合には固定台５１の背面を閉じた構造とすればよい。
【００４６】
以上説明したように本発明によれば、突状の第１または第２の位置決め部の他端部が、遊技盤を収納する筐体を固定台に嵌め込む際、弾性体の弾性力に抗して沈み、筐体が固定台に嵌め込まれると、弾性体の弾性力によって突出して箱溝状の第２または第１の位置決め部に嵌合し、筐体は特別な操作をすることなく所定角度傾斜して固定台に支持される。このため、特別な熟練や特別な道具を用いることなく、誰でも簡単に遊技台を所定角度傾斜させて設置することが可能となる。
【００４７】
また、筐体を収納する空間を固定台に並設し、これら各空間の内壁に第２の位置決め部を設け、第１の位置決め部を有する複数の各筐体を固定台の各空間に嵌め込むことにより、各筐体は第２の位置決め部に案内されてそれぞれ所定角度傾斜し、それぞれ固定台に支持される。これら各筐体は固定台を運搬することによって固定台と共に輸送され、そのまま遊技機島の基台上に設置される。このため、固定台と共に輸送された遊技台は遊技場にそのまま直ちに設置することが可能となる。また、梱包材が不要となるため、コストの削減が図れる。
【００４８】
また、筐体の側部に第１の配線接続具、固定台の内壁に第２の配線接続具を設けることにより、第１および第２の位置決め部に案内されて筐体が固定台に嵌め込まれると、筐体側の第１の配線接続具は特別な操作をすることなく固定台側の第２の配線接続具に接続される。このため、労力を要した従来の配線接続作業は不要になる。
【００４９】
また、筐体の背面に対向する面が閉じた固定台の構造とすることにより、スタンド・アロン・タイプの遊技台固定装置が提供される。
【図面の簡単な説明】
【図１】本発明の一実施形態による遊技台の固定装置を示す斜視図である。
【図２】図１に示す遊技台固定装置の変形例を示す一部破断斜視図である。
【図３】本実施形態による遊技台の固定装置を用いた輸送形態を示す斜視図である。
【図４】従来のパチンコ機の正面，側面および背面を示す図である。
【図５】パチンコ機の一般的な設置状態を示す側面図である。
【図６】従来の遊技台の固定構造を示す斜視図である。
【図７】従来の遊技台の輸送時に使用される梱包材を示す図である。
【符号の説明】
４１…パチンコ機
４３…遊技盤
４４…筐体
４６ａ〜４６ｄ…溝状位置決め部（第１の位置決め部）
４７ａ，４７ｂ…コネクタ・ソケット（第１の配線接続具）
５１…固定台
５１ａ，５１ｂ…固定台５１の内壁
５２…空間
５４ａ〜５４ｄ…突状位置決め部（第２の位置決め部）
５５ａ，５５ｂ…コネクタ・レセプタクル（第２の配線接続具）
６１…ストッパ
６２…ピン
６３…コイルバネ
６４…箱溝状位置決め部
【図１】
0003830621.tif 000002
【図２】
0003830621.tif 000003
【図３】
0003830621.tif 000004
【図４】
0003830621.tif 000005
【図５】
0003830621.tif 000006
【図６】
0003830621.tif 000007
【図７】
0003830621.tif 000008